(57)【要約】      （修正有）【課題】衣服を傷めずに着衣形状のままにマグネット吸着で飾れる衣服用額縁を提供する。【解決手段】衣服を飾納できる固着板に透明樹脂板で全面を保護している衣服収納部を有し、モールディング材料での棹状フレーム８で周囲を囲って製作されている額縁部５とスペーサー部３からなる額縁本体６において、額縁本体に存在する固着板に磁性体を付着できる装飾性表装材である化粧板１を使用し、化粧板に衣服を飾納させる衣服取り付け具として数個のマグネット体９を使用して、衣類を化粧板に固着できるようにした。【選択図】図４
0003215079.tif 000002
【実用新案登録請求の範囲】
【請求項１】
衣服を飾納できる固着板に透明樹脂板で全面を保護している衣服収納部を有するモールディング材料での棹状フレームで周囲を囲って製作されている額縁部とスペーサー部からなる額縁本体において、前記額縁本体のスペーサー部に接合されている固着板に磁性体を付着できる装飾性表装材である化粧板を使用して、前記化粧板に衣服を飾納させる衣服取り付け具として、衣服に数個のアグネット体によって固着できるようになっていることを特徴とするマグネット吸着化粧板使用した衣服用額縁。
【請求項２】
衣服を着衣させる化粧板は、表装材の表面には、０・０５〜１ｍｍの生地色から濃厚色、又は自然素材の木質の質感をもつ模様を施した紙体、又は突板、又は布体、又は樹脂フイルムを貼って、磁気吸着力を持つ表面体内に５０〜２００μｍの厚さのスチール箔を含んでいる化粧板を使用していることを特徴とする請求項１に記載のマグネット吸着化粧板使用した衣服用額縁。
【請求項３】
マグネット体は厚さ２〜１０ｍｍ、幅１０〜８０ｍｍ、長さ５０〜３００ｍｍの２〜８本のボンド磁石シート、又は角型状磁石であり、マグネット体のシート状の表面に装飾シートを貼っていることを特徴とする請求項１、又は請求項２に記載のマグネット吸着化粧板使用した衣服用額縁。
【請求項４】
額縁部とスペーサー部からなる額縁本体において、額縁部は幅３０〜１００ｍｍ、厚さ１５〜５０ｍｍのモールディング材料の棹状フレーム材をカットして、長さ３００〜２０００ｍｍの３〜６本のフレームを繋ぎ合わせて、またスペーサーは、額縁部の内部寸法と同様寸法で、幅２０〜５０ｍｍ、厚さ３〜１０ｍｍの木質の材料を使用したもので、前記額縁本体の形状は、縦３００〜２０００ｍｍ、横３００〜１０００ｍｍの長方形状、又は正方形状又は多角形状の額縁部とスペーサー部の枠体と、前記スペーサーの枠体の裏側に接合する固着板である厚さ２〜５ｍｍのマグネット吸着化粧板材と、前面側に保護用として厚さ２〜５ｍｍのアクリル樹脂製透明樹脂板と、を取り付けていることを特徴とする請求項１〜請求項３のいずれかに記載のマグネット吸着化粧板使用した衣服用額縁。
【考案の詳細な説明】
【技術分野】
【０００１】  本考案は、衣服を飾る衣服用額縁においてマグネット吸着化粧板使用した衣服用額縁に関する。
【背景技術】
【０００２】  従来、衣服を飾る衣服用額縁として、例えば、和服用額縁があり、この和服用額縁では、額縁本体の内部に和服を収納する収納部を形成し、この収納部の上部側にバーを横向きに架設し、和服の裾柄部分などが表に現れるように折り畳んだ状態でバーに引っ掛けて飾っているものが提案されている（特許文献１参照。）。【０００３】  このような和服用額縁では、折り畳んで飾るため、飾れる衣服が和服などに限られ、例えば、サッカーや野球などのユニフォームなどのように着衣状態に広げて飾る衣服には適していない。【０００４】  そのため、ユニフォームなどについては、着衣形状に広げた状態でピンを直接刺して額縁の裏板に係止することにより、着衣形状で飾るようにしている。【０００５】またレコード・レーザーディスク・コンパクトディスクなどのジャケットを、美術品・インテリア・アクセサリーとして楽しむための装飾用ジャケットケースとして提案されている（特許文献２参照）。【０００６】額縁本体にユニフォームを収納する収納部を設け、収納部にハンガー取付部を設ける。ユニフォームをハンガーの着衣部にユニフォームを着衣させる。ハンガーの引掛孔を収納部のハンガー取付部に引っ掛け、ユニフォームを吊下げ状態で収納部に収納する。ユニフォームを傷めずに着衣形状で飾れる方法が提案されている（特許文献３参照）。【０００７】マグネット吸着化粧板において、使用目的や部屋の空間に適宜適応させ、形状を変化して配置することを可能とした組合せ家具を供することを目的して、Ｌ字状で内部を３箇と１箇のブロック空間に形成したユニット体の１対と、ブロック空間内に収納される引出し箱とからなる組合せ家具であり、ブロック空間内にＨ状の仕切り枠を挿入可能となし、該Ｈ状仕切り枠の上段や下段には夫々小型引出し箱が入れられるようにすることが出来る構成家具が提案されている（特許文献４参照）。【０００８】また化粧板を使用した家具のデザイン性を増すために、円柱形状と四角形状と組み合わせたサイドボードであって、円柱形状は直径４００〜５００ｍｍφ、高さ７００〜１０００ｍｍ、四角形状は、縦２５０〜３５０ｍｍ、横３５０〜４５０ｍｍ、高さ７００〜１０００ｍｍで、脚部を４〜７本で高さ１００〜２００ｍｍにして、円柱形の形状体には、内部棚付き開き戸部１、又は３〜４段の引出部にして、四角形の形状体には、２〜３段の棚部にして、円柱と角状の形状コラボの家具として円柱状を浮かせたようなデザインになっているデザイン性円形状付きサイドボード家具を提供する（特許文献５参照）。【０００９】マグネット吸着する化粧板を使用した額縁は存在していなく、簡単に衣服などを取り付ける衣服用額縁は見られない。
【先行技術文献】
【特許文献】
【００１０】
【特許文献１】特開平１１−３４６８８７号公報
【特許文献２】実用新案登録第３０２３５２２号公報
【特許文献３】特開２００５−２０５１０６号公報
【特許文献４】実用新案登録第３００８７１７号公報
【特許文献５】実用新案登録第３２０３８４３号公報
【考案の概要】
【考案が解決しようとする課題】
【００１１】衣服用額縁では、折り畳んで飾るため、飾れる衣服洋服などに限られ、例えば、サッカーや野球などのユニフォームなどのように着衣状態に広げて飾る衣服には折り畳んだり、皺の入った状態で飾ることになっている。このような衣服の飾り額縁には適していない。【００１２】  しかしながら、ユニフォームなどを飾る場合、ユニフォームにピンを直接刺すため、ユニフォームを傷める問題がある。本考案は、このような点に鑑みなされたもので、衣服を傷めずに着衣形状で飾ることができる装飾的に長時間記念的衣服用装飾性額縁を提供することを目的とする。
【課題を解決するための手段】
【００１３】衣服を飾納できる固着板に透明樹脂板で全面を保護している衣服収納部を有するモールディング材料での棹状フレームで周囲を囲って製作されている額縁部とスペーサー部からなる額縁本体において、前記額縁本体のスペーサー部に接合されている固着板に磁性体を付着できる装飾性表装材である化粧板を使用して、前記化粧板に衣服を飾納させる衣服取り付け具として、衣服に数個のアグネット体によって固着できるようになっているマグネット吸着化粧板使用した衣服用額縁である。【００１４】衣服を着衣させる化粧板は、表装材の表面には、０・０５〜１ｍｍの生地色から濃厚色、又は自然素材の木質の質感をもつ模様を施した紙体、又は突板、又は布体、又は樹脂フイルムを貼って、磁気吸着力を持つ表面体内に５０〜２００μｍの厚さのスチール箔を含んでいる化粧板を使用している。【００１５】マグネット体は厚さ２〜１０ｍｍ、幅１０〜８０ｍｍ、長さ５０〜３００ｍｍの２〜８本のボンド状磁石シート、又は角型状磁石であり、磁石体の表面に装飾シートを貼っていることを特徴とする請求項１、又は請求項２に記載のマグネット吸着化粧板使用した衣服用額縁。【００１６】額縁部とスペーサー部からなる額縁本体において、額縁部は幅３０〜１００ｍｍ、厚さ１５〜５０ｍｍのモールディング材料の棹状フレーム材をカットして、長さ３００〜２０００ｍｍの３〜６本のフレームを繋ぎ合わせて、またスペーサーは、額縁部の内部寸法と同様寸法で、幅２０〜５０ｍｍ、厚さ３〜１０ｍｍの木質の材料を使用したもので、前記額縁本体の形状は、縦３００〜２０００ｍｍ、横３００〜１０００ｍｍの長方形状、又は正方形状又は多角形状の額縁部とスペーサー部の枠体と、前記スペーサーの枠体の裏側に接合する固着板である厚さ２〜５ｍｍのマグネット吸着化粧板材と、前面側に保護用として厚さ２〜５ｍｍのアクリル樹脂製透明樹脂板と、を取り付けている。【００１７】衣類、特にサッカーや野球などのスポーツ用ユニフォームを収納して飾るための額縁であり、衣類を添付固定するための背景板に磁性体を付着できる装飾性表装材である金属板入り化粧板を使用して、衣類を飾る際には衣類の内側に薄型マグネット板を両肩部分、両脇部分その他の部分に複数枚挿入することでその磁力を利用して背景板としての化粧板上に当該衣類を貼り付け固定できる額縁である。【００１８】額縁の構造は棹状のモールディング材料の両端を４５度等にカットして矩形に組み合わせた額縁本体前面に保護カバーとして紫外線カット機能のある透明アクリル樹脂板を配置して、その保護カバーと収納目的の対象たる衣服全体が直接触れ合わないように空間スペーサーをフレーム内側に沿って設置して、その後に磁性体を付着出来る化粧板を配置したものである。
【考案の効果】
【００１９】衣服装飾掛け額縁によれば、化粧板を使用している着衣部に衣服を着衣させ、この額縁本体の内部の化粧板に、衣服を貼り付けて、マグネットで付着させた額縁本体の収納部に収納するため、衣服を傷めずに着衣形状で飾ることができる。又、マグネット吸着板の磁力の及ぶ額縁の中のどの位置にでも利用者が好みの位置に自由に衣類を配置によるレイアウトによって額縁中に生じた空スペースに写真やスコアカードや寄せ書きなどに関連する主に紙素材等を配置される。【００２０】化粧板にマグネットを吸着させる着衣部を、板状で衣服の着衣形状に対応した形状に形成したため、衣服を着衣形状に保持して飾ることができる。衣服より露出する箇所の表面と額縁本体の収納部の表面とを同一素材で設けたため、吸着マグネットを目立たなくでき、衣服を浮き出させて飾ることができる。【００２１】マグネット吸着化粧板である着衣部に、この着衣部より外側に突出する衣服の一部を着衣部のマグネットに折り畳んで保持する折畳部を設けたため、衣服を飾る状態に簡単に保持して収納部に容易に配置できるとともに、衣服を着衣形状のままコンパクトにまとめて飾ることができる。前面に収納部が設けられた裏板部の前面に額縁部を開閉可能に設けたため、壁に掛けたままでも衣服を容易に飾ることができる。【００２２】この額縁を使用した衣類装着は、一つはマグネット板を衣類の内側に挿入して背景板たる化粧板に固定するため衣類のデザイン性を棄損することなく衣類の表面全体を露出可能である。その際マグネット板の適正な配置によって衣類の皴を伸ばしながら飾れる。またマグネット吸着板の磁力を利用して衣類を固定するものであるため、マグネット板の磁力の及ぶ額縁の中のどの位置にでも利用者が好みの位置に自由に衣類を配置可能である。さらに衣類を自由配置にするために額縁中に生じた空スペースに写真やスコアカードや寄せ書きなどの衣類に関連する色紙等の薄物附属品をマグネットで添付装飾も容易にできる。
【図面の簡単な説明】
【００２３】
【図１】マグネット吸着化粧板を使用した衣服用額縁の斜視図。Ａ：額縁  Ｂ：ユニフォーム使用状態  Ｃ：写真図
【図２】マグネット吸着化粧板を使用した衣服用額縁の部品状態図。Ａ：スペーサー部  Ｂ：マグネット吸着化粧板部  Ｃ：額縁部
【図３】マグネット吸着化粧板を使用した衣服用額縁に衣服をセットする状態を示す図。Ａ：化粧板上にユニフォームをマグネットでセット  Ｂ：ユニフォーム内部にマグネットシートを挿入  Ｃ：スペーサー、額縁部、透明板をセット  Ｄ：マグネットシート
【図４】マグネット吸着化粧板を使用した衣服用額縁に衣服を組み立て・セットした斜視図。Ａ：組み立て図  Ｂ：完成図
【図５】マグネット吸着化粧板を使用した衣服用額縁の斜視図。Ａ：六角形額縁  Ｂ：記念品衣服の展示
【図６】マグネット吸着化粧板を使用した衣服用額縁の断面図。Ａ：額縁部本体  Ｂ：ユニフォームを着衣した状態
【考案を実施するための形態】
【００２４】  以下、本考案の一実施の形態を図面にて参照しながら説明する。
図１〜図５に、衣服用額縁で、この衣服用額によって飾る衣服としては、例えばサッカー、野球、バスケットボールなどの各種競技のユニフォームあるいは記念品衣服である。
【実施例１】
【００２５】図１に示すように、衣服を飾納できる固着板に透明樹脂板で全面を保護している衣服収納部を有するモールディング材料での棹状フレームで周囲を囲って製作されている額縁部とスペーサー部からなる額縁本体において、前記額縁本体に存在する固着板に磁性体を付着できる装飾性表装材である化粧板を使用して、前記化粧板に衣服を飾納させる衣服取り付け具として、衣服に数個のアグネット体によって固着できるようになっているマグネット吸着化粧板使用した衣服用額縁である。【００２６】図２Ｂに示すように、衣服を着衣させる化粧板は、表装材の表面には、０・０５〜１ｍｍの生地色から濃厚色、又は自然素材の木質の質感をもつ模様を施した紙体、又は突板、又は布体、又は樹脂フイルムを貼って、磁気吸着力を持つ表面体内に２５〜２００μｍの厚さのスチール箔を含んでいる化粧板を使用した。【００２７】図３のマグネットは幅５〜１０ｍｍ、長さ５０〜１００ｍｍの６本のボンド磁石シートであり、磁性体の表面を装飾シートを貼っている。また額縁部とスペーサー部からなる額縁本体において、額縁部は幅３０〜１００ｍｍ、厚さ１５〜５０ｍｍのモールディング材料の棹状フレーム材をカットして、長さ３００〜２０００ｍｍの３〜６本のフレームを繋ぎ合わせて、またスペーサーは、額縁部の内部寸法と同様寸法で、幅２０〜５０ｍｍ、厚さ３〜１０ｍｍの木質の材料を使用したもので、前記額縁本体の形状は、縦３００〜２０００ｍｍ、横３００〜１０００ｍｍの長方形状、又は正方形状又は多角形状の額縁部とスペーサー部の枠体と、前記スペーサーの枠体の裏側に接合する固着板である厚さ２〜５ｍｍのマグネット吸着化粧板材と、前面側に保護用として厚さ２〜５ｍｍのアクリル樹脂製透明樹脂板とを取り付けた。【００２８】図３は、衣類をセットする手順であり、Ａではマグネット吸着化粧板の上に衣類（ユニフォーム）を置き、ユニフォームの形状に合わせてマグネット板をカットした。Ｂではカットしたマグネット板をユニフォームの内側に差し入れ装着した。表から装着したマグネット板が見えないように注意しながら、皴を伸ばすようにユニフォーム全体の形を整えた。Ｃではマグネット吸着化粧板に固定されたユニフォームごと化粧板を額縁部の裏面から取り付けた。【００２９】図４に示すように、マグネット吸着化粧板である着衣部に、この着衣部より外側に突出する衣服の一部を着衣部のマグネットに折り畳んで保持し、衣服を飾る状態に簡単に保持して収納部に容易に配置でき、額縁内に衣服を着衣形状のままコンパクトにまとめて飾ることができた。前面に収納部が設けられた裏板部の前面に額縁部を開閉可能に設けたため、壁に掛けたままでも衣服を容易に飾ることができた。
１：マグネット吸着化粧板
２：衣類（ユニフォーム）
３：スペーサー
４：ＵＶカット透明アクリル板
５：額縁部（フレーム）
【実施例２】
【００３０】図１に示すように、衣服を飾納できる固着板に透明樹脂板で全面を保護している衣服収納部を有するモールディング材料での棹状フレームで周囲を囲って製作されている額縁部とスペーサー部からなる額縁本体において、前記額縁本体に存在する固着板に磁性体を付着できる装飾性表装材である化粧板を使用して、前記化粧板に衣服を飾納させる衣服取り付け具として、衣服に数個のアグネット体によって固着できるようになっているマグネット吸着化粧板使用した衣服用額縁である。【００３１】図２Ｂに示すように、衣服を着衣させる化粧板は、表装材の表面には、０・２ｍｍの生地色から濃厚色、又は自然素材の木質の質感をもつ模様を施した樹脂フイルムを貼って、磁気吸着力を持つ表面体内に５０μｍの厚さのスチール箔を含んでいる化粧板を使用した。【００３２】図３のマグネットは幅１０ｍｍ、長さ１００ｍｍの６本のボンド磁石シートであり、磁性体の表面を装飾シートを貼っている。また額縁部とスペーサー部からなる額縁本体において、額縁部は幅４０ｍｍ、厚さ２０ｍｍのモールディング材料の棹状フレーム材をカットして、長さ１５００ｍｍの４本のフレームを繋ぎ合わせて、またスペーサーは、額縁部の内部寸法と同様寸法で、前記額縁本体の形状は、縦１５００ｍｍ、横１０００ｍｍの長方形状の額縁部とスペーサー部の枠体と、前記スペーサーの枠体の裏側に接合する固着板である厚さ２〜５ｍｍのマグネット吸着化粧板材と、前面側に保護用として厚さ２ｍｍのアクリル樹脂製透明樹脂板とを取り付けた。【００３３】図３は、衣類をセットする手順であり、Ａではマグネット吸着化粧板の上に衣類（ユニフォーム）を置き、ユニフォームの形状に合わせてマグネット板をカットした。Ｂではカットしたマグネット板をユニフォームの内側に差し入れ装着した。表から装着したマグネット板が見えないように注意しながら、皴を伸ばすようにユニフォーム全体の形を整えた。Ｃではマグネット吸着化粧板に固定されたユニフォームごと化粧板を額縁部の裏面から取り付けた。【００３４】図４に示すように、マグネット吸着化粧板である着衣部に、この着衣部より外側に突出する衣服の一部を着衣部のマグネットに折り畳んで保持し、衣服を飾る状態に簡単に保持して収納部に容易に配置でき、額縁内に衣服を着衣形状のままコンパクトにまとめて飾ることができた。前面に収納部が設けられた裏板部の前面に額縁部を開閉可能に設けたため、壁に掛けたままでも衣服を容易に飾ることができた。
【実施例３】
【００３５】衣服を飾納できる固着板に透明樹脂板で全面を保護している衣服収納部を有するモールディング材料での棹状フレームで周囲を囲って製作されている額縁本体において、前記額縁本体に存在する固着板に磁性体を付着できる装飾性表装材である化粧板を使用して、前記化粧板に衣服を飾納させる衣服取り付け具として、衣服に数個のアグネット体によって固着できるようになった。【００３６】衣服を着衣させる化粧板は、表装材の表面には、０・１ｍｍの生地色から濃厚色、又は自然素材の木質の質感をもつ模様を施した紙体を貼って、磁気吸着力を持つ表面体内に５０μｍの厚さのスチール箔を含んでいる化粧板を使用した。【００３７】マグネット体は厚さ２ｍｍ、幅３０ｍｍ、長さ２００ｍｍの６本のボンド状磁石シートの表面に装飾シートを貼った。【００３８】幅５０ｍｍ、厚さ２０ｍｍのモールディング材料の棹状フレーム材をカットして、長さ１０００ｍｍの４本のフレームを繋ぎ合わせて、縦１０００ｍｍ、横８００ｍｍの長方形状の枠体と、前記枠体の裏面側に額縁本体に存在する固着板と同様な厚さ２ｍｍの板材と、前面側に保護用として厚さ２ｍｍのアクリル樹脂製透明樹脂板とを取り付けた。
【符号の説明】
【００３９】１  マグネット吸着化粧板
２  衣服としてのユニフォーム
３  スペーサー
４  ＵＶカット透明板
５  額縁部
６  本額縁を構成する部品の全体図
７  額縁の断面図
８．モールディング材料での棹状フレーム
９．マグネットシート
１０．衣服取り付け具
１１．スペーサーの状態
１２．マグネット吸着化粧板の状態
１３  表面
１４  裏面
【図１】
0003215079.tif 000003
【図２】
0003215079.tif 000004
【図３】
0003215079.tif 000005
【図４】
0003215079.tif 000006
【図５】
0003215079.tif 000007
【図６】
0003215079.tif 000008